(57)【要約】【課題】血液の定量採取を簡単且つ確実に行うことである。【解決手段】側周面に開口し毛細管現象により血液を保持する貫通孔２１を有するロッド２と、前記ロッド２と同径の挿入孔３１を有し、前記ロッド２をスライド可能に保持する擦り切り部材３と、を備え、前記ロッド２を前記擦る切り部材３に対してスライドさせたときに、前記擦り切り部材３が、前記ロッド２の貫通孔２１外にある血液を擦り切るものである。【選択図】図１
2008157723.tif 000002
【特許請求の範囲】
【請求項１】
側周面に開口して毛細管現象により血液を保持する貫通孔を有するロッドと、
前記ロッドと同径の挿入孔を有し、前記ロッドをスライド可能に保持する擦り切り部材と、を備え、
前記ロッドを前記擦り切り部材に対してスライドさせたときに、前記擦り切り部材が、前記ロッドの貫通孔外にある血液を擦り切るものである血液定量器。
【請求項２】
前記ロッドが前記擦り切り部材に対して垂直にスライド移動するために、前記ロッドを支持するガイド部材を備えている請求項１記載の血液定量器。
【請求項３】
前記擦り切り部材の後方に連続して設けられ、試薬を収容している試薬収容部をさらに備え、
前記擦り切り部材を通過した貫通孔が、前記試薬収容部内に導入される請求項１又は２記載の血液定量器。
【請求項４】
前記ロッドが、側周面に軸方向に沿って空気排出溝を備え、
前記空気排出溝が、前記ロッドを試薬収容部内に導入したときに、その試薬収容部内の空気を外部に排出するものである請求項３記載の血液定量器。
【発明の詳細な説明】
【技術分野】
【０００１】
本発明は、血液を定量採取するための血液定量器に関するものである。
【背景技術】
【０００２】
例えば血液を分析する場合、前処理工程として、真空採血管又はシリンジなどで採血する工程、ガラスキャピラリー管又はピペット等を用いて、真空採血管内の血液を一定量採取する工程、及び一定量採取した血液を一定量の試薬の入った容器に導入して、振動装置などを用いて混合する工程がある。
【０００３】
しかしながら、上述したように作業工程が多く、特にガラスキャピラリー管又はピペット等を用いて血液を一定量採取する作業には熟練した技術が必要である。
【０００４】
一方、特許文献１に示すように、血液を収容する採血管を血液分析装置に導入して、一定量の血液及び試薬を自動で吸い取り、同一の容器内に導入して定量混合を行うものがある。
【０００５】
しかしながら、この定量混合は、当該血液分析装置専用に行うものであり、その混合液体を他の分析装置に用いることができない。また、血液分析装置内に一体に設けられた機構により定量混合を行うものであり、血液を定量混合する為だけに用いる場合でも、血液分析装置を用いる必要があり、作業が大がかりになってしまう。
【特許文献１】特開２００２−５５０６９号公報
【発明の開示】
【発明が解決しようとする課題】
【０００６】
そこで本発明は、血液の定量採取を簡単且つ確実に行うことをその主たる所期課題とするものである。
【課題を解決するための手段】
【０００７】
すなわち本発明に係る血液定量器は、側周面に開口して毛細管現象により血液を保持する貫通孔を有するロッドと、前記ロッドと同径の挿入孔を有し、前記ロッドをスライド可能に保持する擦り切り部材と、を備え、前記ロッドを前記擦り切り部材に対してスライドさせたときに、前記擦り切り部材が、前記ロッドの貫通孔外にある血液を擦り切るものであることを特徴とする。
【０００８】
このようなものであれば、血液をロッドの貫通孔に接触させるだけで、毛細管現象により自動的に、貫通孔に血液が所定量保持され、ロッドを擦り切り部材に対してスライド移動させるだけで、貫通孔外にはみ出している血液は擦り切られるので、簡単且つ確実に定量採血を行うことができる。このことから、試薬との定量混合を簡単且つ確実に行うことができるようになる。
【０００９】
ロッドを擦り切り部材に対して垂直にスライド移動させて、貫通孔外の血液を完全に擦り切ることができるようにするためには、前記ロッドが前記擦り切り部材に対して垂直にスライド移動するために、前記ロッドを支持するガイド部材を備えていることが望ましい。
【００１０】
また、前記擦り切り部材の後方に連続して設けられ、試薬を収容している試薬収容部をさらに備え、前記擦り切り部材を通過した貫通孔が、前記試薬収容部内に導入されるものであることが望ましい。
【００１１】
このようなものであれば、定量採血された後、直接その血液が試薬収容部内に導入されるので、血液と試薬との定量混合を極めて簡単に行うことができる。しかも、定量採血及び定量混合を一動作で行うことができ、極めて簡単に定量採血及び定量混合を行うことができる。
【００１２】
ロッドを試薬収容室内に導入できるようにするには、前記ロッドが、側周面に軸方向に沿って空気排出溝を備え、前記ロッドを試薬収容部内に導入したときに、前記空気排出溝が、その試薬収容部内の空気を外部に排出するものであることが望ましい。
【発明の効果】
【００１３】
このように構成した本発明によれば、血液の定量採取を簡単且つ確実に行うことができる。また、血液の定量採取を簡単且つ確実に行うことができるので、血液と試薬との定量混合も簡単且つ確実に行うことができるようになる。
【発明を実施するための最良の形態】
【００１４】
以下に、本発明の一実施形態に係る血液定量器について、図面を参照して説明する。なお、図１は、本実施形態に係る血液定量器１の斜視図である。図２は、血液定量器１の血液保持工程を示す断面図である。図３は、血液定量器１の血液擦り切り後を示す断面図である。図４は、ロッド２の先端部分を示す拡大斜視図である。図１〜図３において、試薬収容部４内に収容された試薬は図示しない。
【００１５】
＜装置構成＞
本実施形態に係る血液定量器１は、血液の定量採取及びその血液と試薬との定量混合を行うためのものであり、図１及び図２に示すように、貫通孔２１を有するロッド２と、当該ロッド２をスライド可能に保持する擦り切り部材３と、試薬を収容している試薬収容部４とを備えている。
【００１６】
以下、各部２、３、４について説明する。
【００１７】
ロッド２は、断面円形状をなす棒部材であり、先端部が尖っており、その側周面には、貫通孔２１を備えている。また、ロッド２の後端部には、円板状の押さえ板２２が設けられている。このように、ロッド２の後端部に押さえ板２２が接続されているので、ロッド２の試薬収容部４への押し込みを容易にすることができる。
【００１８】
貫通孔２１は、ロッド２の側周面に開口し、毛細管現象により血液を保持するものであり、その直径は、例えば、毛細管現象により血液を自動的にその内部に導入する程度のものである。本実施形態の貫通孔２１は、貫通方向がロッド２の中心軸とほぼ垂直に形成され、その断面が円形をなすものである。その具体的形状は、例えば直径約０．８ｍｍ、長さ（ロッド２の直径）約５ｍｍ、としている。定量採取量は、貫通孔２１の断面積及び長さを変えることで自由に変更することができ、例えば定量採取量を１μＬ〜２０μＬまで変更することができる。
【００１９】
また、ロッド２は、例えば、ポリプロピレン、ポリエチレン、ポリ塩化ビニル、ポリカーボネイト、ポリスチレン等のプラスチックにより成形されるものである。本実施形態では、ロッド２と押さえ板２２とを一体成型しても良いし、ロッド２と、押さえ板２２とを別々に成形した後、それらを接続するようにしても良い。
【００２０】
さらに、本実施形態のロッド２は、その側周面に軸方向に沿って空気排出溝２３を備えている。空気排出溝２３は、特に図４に示すように、貫通孔２１と接触しないように、貫通孔２１の側方に設けられている。また、空気排出溝２３は、ロッド２の先端部から所定位置まで、後端方向に向かって直線的に形成されている。
【００２１】
擦り切り部材３は、ロッド２と同径の挿入孔３１を有し、その挿入孔３１にロッド２が挿入されることにより、そのロッド２をスライド可能に保持するものである。
【００２２】
そして、擦り切り部材３の前方（反押し込み方向）には、ガイド部材５が連続して設けられている。ガイド部材５は、ロッド２が擦り切り部材３に対して垂直にスライド移動するために、ロッド２を支持するものである。
【００２３】
本実施形態では、擦り切り部材３とガイド部材５とが一体成型されたブロック体Ａをなしており、その形状は、側面視概略コの字状をなすものである。そして、その一方（押し込み方向）の側壁が、擦り切り部材３を構成し、他方（反押し込み方向）の側壁及び底壁がガイド部材５を構成している。それぞれの側壁には、共通の中心軸を有する挿入孔３１が形成されている。
【００２４】
また、ブロック体Ａ側壁の頂部内面は、テーパ面Ａ１となっている。これにより、被採血者が、貫通孔２１付近（サンプリング箇所）に指を載せ易くしている。
【００２５】
なお、ブロック体Ａも、ロッド２と同様に、例えば、ポリプロピレン、ポリエチレン、ポリ塩化ビニル、ポリカーボネイト、ポリスチレン等のプラスチックにより成形される。
【００２６】
試薬収容部４は、一端が開口し且つ他端が閉塞された横断面が矩形の有底管であり、擦り切り部材３の後方（押し込み方向）に連続して設けられて、内部に希釈液等の試薬を収容する試薬収容室４１を形成している。そして、試薬収容部４の開口には、擦り切り部材３に設けられた挿入孔３１と試薬収容室４１とを分離するための隔膜６が設けられている。これにより、試薬収容部４内に設けられた試薬収容室４１は密閉されており、一定量の試薬が封止される。また、試薬収容部４の底壁４２には、別に設けた血液測定装置に血液と試薬との混合溶液を導入するための装置接続ポート４２１が設けられている。この装置接続ポート４２１は、定量採血及び定量混合の最中は閉じられている。
【００２７】
また、隔膜６は、例えばアルミ薄膜や樹脂薄膜などを用いることができる。そして、ロッド２先端部分により、隔膜６が突き破られる構造となっている。
【００２８】
なお、試薬収容部４も、ロッド２、ブロック体Ａと同様に、例えば、ポリプロピレン、ポリエチレン、ポリ塩化ビニル、ポリカーボネイト、ポリスチレン等のプラスチックにより成形される。
【００２９】
＜使用方法＞
次に、本実施形態に係る血液定量器１の使用方法について説明する。
【００３０】
使用前の血液定量器１は、図１及び図２に示すように、ブロック体Ａの擦り切り部材３とガイド部材５との間に位置しているロッド２のほぼ中央に貫通孔２１が位置している。このとき、ロッド２の先端部分は、隔膜６近傍に位置している。
【００３１】
この状態において、まずランセット等を用いて、被採血者の指先を出血させる。
【００３２】
そして、ブロック体Ａのテーパ面Ａ１に沿って、その指先を貫通孔２１が形成されている領域（サンプリング箇所）に接触させる。これにより、貫通孔２１は、毛細管現象により血液を自動的に吸収して保持する（図２参照）。
【００３３】
次に、押さえ板２２を押してロッド２を試薬収容部４側に押し込む。このとき、ロッド２の側周面が挿入孔３１を形成している擦り切り部材３の内側面により擦り切られる。つまり、貫通孔２１内に保持された血液のみが挿入孔３１を通過することができ、貫通孔２１外にはみ出している血液は、挿入孔３１を通過することができず、擦り切られ、擦り切り部材３の反試薬収容部４側の側面に残留する（図３参照）。
【００３４】
また、ロッド２を押し込むことにより、先端部（尖っている部分）が隔膜６を突き破り、ロッド２が試薬収容部４内に入る。このとき、試薬収容部４内の空気は、ロッド２の側周面に軸方向に沿って設けられた空気排出溝２３によって、挿入孔３１を介して外部に排出される。
【００３５】
そして、押さえ板２２がガイド部材５の反試薬収容部４側の側面に当接するまで押し込むことにより、貫通孔２１は、擦り切り部材３を通過して、試薬内に導入され、貫通孔２１内の血液が試薬に触れて、当該試薬中に拡散及び混合する。また、血液定量器１を転倒混和させて、所定量の血液及び試薬を混合する。その後、試薬収容部４の底壁４２に設けた接続ポート４２１から、血液測定装置にその混合溶液を導入する。
【００３６】
＜本実施形態の効果＞
このように構成した本実施形態に係る血液定量器１によれば、貫通孔２１付近に一定量以上の血液を付着させるだけで、自動的に血液が貫通孔２１内に保持され、ロッド２を押し込む操作のみで一定量の血液を採取することができるので、定量採血を、熟練の技術を要することなく、極めて簡単且つ確実に行うことができる。
【００３７】
また、擦り切り部材３の後方に試薬収容部４を連続して設けているので、貫通孔２１付近に血液を付着後、押し込む操作（一動作）のみで、一定量の血液と試薬とを混同することができ、極めて簡単に定量混合を行うことができるだけでなく、定量採取及び定量混合を同時に行うことができる。
【００３８】
さらに、定量採血及び定量混合を、本器具１により行うことができるので、従来の血液分析装置等の内部に設けられた定量機構、試薬混合機構等の一部を省略可能にでき、その結果、血液分析装置の小型化、低コスト化等も実現することができる。
【００３９】
＜その他の変形実施形態＞
なお、本発明は前記実施形態に限られず、その趣旨を逸脱しない範囲で種々の変形が可能であるのは言うまでもない。
【００４０】
例えば、前記実施形態では、ロッド２は貫通孔２１を１つ有するものであったが、その他、２つ以上の貫通孔２１を有するものであっても良い。このようなものであれば、一度に複数の定量サンプリングを行うことができる。
【００４１】
また、この場合、試薬収容部４を二槽にして、一方の試薬収容部４では赤血球測定用、他方の試薬収容部４では白血球測定用の前処理を行うことができるようにしても良い。
【００４２】
さらに、ロッド２の形状に関して言うと、前記実施形態では断面円形状をなすものであったが、その他、断面矩形状であっても良い。
【００４３】
加えて、貫通孔２１の形状に関して言うと、前記実施形態では断面円形状をなすものであったが、その他、楕円形であって良いし、矩形であっても良い。また、ロッドの中心軸に対して垂直に形成されているが、その中心軸に対して斜めに形成するようにしても良い。
【００４４】
さらに加えて、前記実施形態では、試薬収容部４が擦り切り部材３の後方（押し込み方向）に連続して設けられているが、図５に示すように、擦り切り部材３と試薬収容部４との間に中間部材７を設けて、擦り切り部材３と試薬収容部４との間に空間があるようにしても良い。このとき、ロッド２の先端部分を、擦り切り部材３から押し込み方向に突出した構造にし、その先端部分の径を、擦り切り部材３の挿入孔３１の径よりも大きくしている。これにより、ロッド２が擦り切り部材３から反押し込み方向に抜けないようにしている。
【００４５】
その上、前記実施形態では、試薬収容部４の底壁４２に装置接続ポート４２１を設けているが、その接続ポートを設けずに、転倒混和後、ブロック体Ａを試薬収容部４から取り外すことにより、試薬収容部４の開口から血液分析装置に混合溶液を導入するようにしても良い。
【００４６】
その他、前述した実施形態や変形実施形態の一部又は全部を適宜組み合わせてよいし、本発明は前記実施形態に限られず、その趣旨を逸脱しない範囲で種々の変形が可能であるのは言うまでもない。
【図面の簡単な説明】
【００４７】
【図１】本発明の一実施形態に係る血液定量器の斜視図。
【図２】血液付着工程における血液定量器の断面図。
【図３】血液擦り切り後における血液定量器の断面図。
【図４】同実施形態におけるロッドの先端部分を示す部分拡大斜視図。
【図５】変形実施形態に係る血液定量器の断面図。
【符号の説明】
【００４８】
１  ・・・血液定量器
２  ・・・ロッド
２１・・・貫通孔
２２・・・押さえ板
２３・・・空気排出溝
３  ・・・擦り切り部材
３１・・・挿入孔
４  ・・・試薬収容部
５  ・・・ガイド部材
６  ・・・隔膜
【図１】
2008157723.tif 000003
【図２】
2008157723.tif 000004
【図３】
2008157723.tif 000005
【図４】
2008157723.tif 000006
【図５】
2008157723.tif 000007